(57)【要約】  液体の分注量を遠隔の液体容器から分注するための電池式の内蔵型の水中用の液体ディスペンサーを提供する。このディスペンサーは、密閉されて壁で囲まれたハウジング（１）を有し、このハウジング（１）はハウジング内の電気制御回路（７）から受信されるモーター作動信号に応じて電気モーター（２）によって直接的又は減速ギア列（３）を介して駆動されるぜん動ポンプ（５）を含む。このポンプは、ハウジングの壁を通り抜けて延び出る液体注入口及び出口ポート（１０、１１）にそれぞれ接続されるフレキシブル液体分注チューブ（９）と、チューブを通って液体注入口ポートを経由して出口ポートに受け入れられる液体を押し上げるポンプアクチュエーター（１２）と、回路に接続されハウジングの壁上又は壁中のセンサーとを有する。このセンサーは、例えば水の有無のようなハウジングの外部からの所定のパラメーターから変化状態を感知するように構成され、その後、この回路はモーターこれによるポンプを作動し、液体の分注量を分注する。
2007534871.tif 000002
【特許請求の範囲】
【請求項１】
液体の分注量を遠隔の液体容器から分注するための電池式で内蔵型の水中用の液体ディスペンサーであって、
前記ディスペンサーは、密閉されて壁で囲まれたハウジングを有し、前記ハウジングは、前記ハウジング内の電気制御回路から受信されるモーター作動信号に応じて、電気モーターによって直接的又は減速ギア列を介して駆動されるぜん動ポンプを収容し、
前記ポンプは、前記ハウジングの壁を抜けて延び出る液体注入口及び液体出口ポートにそれぞれ接続されたフレキシブル液体分注チューブと、
前記チューブを通過して前記液体注入口ポート経由で前記出口ポートへと受け入れられる液体を押し上げるためのポンプアクチュエーターと、
前記回路に接続され前記ハウジングの壁上又は壁中のセンサーとを有し、
前記センサーは、水の有無のような前記ハウジングの外部の所定のパラメーターから変化状態を感知するように構成され、
その後、前記回路が前記モーター及びこれによる前記ポンプを作動し、前記液体の分注量を分注することを特徴とするディスペンサー。
【請求項２】
前記センサーは一対の電極を有し、前記変化状態は前記電極間の電気抵抗の変化を含むことを特徴とする請求項１に記載されたディスペンサー。
【請求項３】
前記センサーは一対の電極を有し、前記変化状態は前記電極間の水の有無を検出することを含むことを特徴とする請求項１又は２に記載されたディスペンサー。
【請求項４】
トイレのタンク内の予め選択された位置に、前記センサーが前記タンク内の水の有無を検出するように構成されて設置され、
前記タンクが満たされている場合に前記センサーが前記タンク内の水の有りを検出し、又は前記トイレが流されて前記タンクが空である場合に前記センサーが前記タンク内の水の無しを検出することを特徴とする請求項３に記載されたディスペンサー。
【請求項５】
前記マイクロプロセッサーは外部信号によってプログラム可能であることを特徴とする請求項１から４のいずれか１項に記載されたディスペンサー。
【請求項６】
前記マイクロプロセッサーは、前記ハウジングの壁上又は壁中に設置され前記マイクロプロセッサーに接続されるキーボードを介してプログラム化されることを特徴とする請求項５に記載されたディスペンサー。
【請求項７】
前記マイクロプロセッサーは、所定の速度及びこれにより液体が分注される量に対応して予めセットされた持続時間で前記モーター及びこれによる前記ポンプを作動するタイマー回路をさらに含むことを特徴とする請求項１から６のいずれか１項に記載されたディスペンサー。
【請求項８】
前記アクチュエーターは、複数の放射状に配置されそれぞれが自由端を有するスポークを備え前記モーターによって直接的又は間接的に駆動されるスポーク付きのホイールを有し、
前記スポークのそれぞれ隣接する一対の自由端は、前記チューブの所定の部分に直接的又は間接的に向かうように構成され、それによってそれらの間に前記出口ポートを経由して分注される液体の塊を閉じ込め、
さらに、前記ホイールが前記モーターの衝動に応じて回転すると、前記スポークが前記塊を前記チューブに通過させて前記出口ポートの外側に徐々に押し出すよう構成されることを特徴とする請求項１から７のいずれか１項に記載されたディスペンサー。
【請求項９】
前記それぞれのスポークの端部は、この領域の前記チューブの外側で消耗を最小限度化し摩擦を減少させるためにローラーを有し、
前記ローラーは前記チューブ上を転がるように前記チューブ平面の壁を圧迫することを特徴とする請求項８に記載されたディスペンサー。
【請求項１０】
所定のパラメーターを示す前記センサーによって感知される状態に従って、指定時間間隔で繰り返して前記液体の予め選択された量を分注するためにプログラム化されることを特徴とする請求項１から９のいずれか１項に記載されたディスペンサー。
【請求項１１】
前記センサーによって感知された前記状態は、所定の特性を有する流体の有無であることを特徴とする請求項１０に記載されたディスペンサー。
【請求項１２】
前記流体は水であることを特徴とする請求項１１に記載されたディスペンサー。
【請求項１３】
前記流体は水であり、前記所定の特性は所望のｐＨ、所望の電解質含有量、所望の塩素含量、望ましくない病原体からなる群から選択されることを特徴とする請求項１２に記載されたディスペンサー。
【請求項１４】
前記流体は空気であり、前記所定の特性は所望の湿度であることを特徴とする請求項１２に記載されたディスペンサー。
【請求項１５】
前記制御回路は所定の仕事を実行するために製造工程で予めプログラム化され、前記電池は密閉される前に前記ハウジング内に組み込まれ、
それによって前記ディスペンサーが比較的安く製造され、
前記電池が消耗したら簡単に使い捨て品になることを特徴とする請求項１から１４のいずれか１項に記載されたディスペンサー。
【請求項１６】
前記出口ポートに液体が実質的に入らないように、前記チューブ内の前記液体のバックフローを防ぐための手段を有することを特徴とする請求項１から１５のいずれか１項に記載されたディスペンサー。
【請求項１７】
前記チューブ内の前記液体のバックフローを防ぐための手段が、前記減速ギア列が単一の方向で前記ポンプアクチュエーターの回転を許可する形態を有することを特徴とする請求項１６に記載されたディスペンサー。
【請求項１８】
前記減速ギア列では、前記モーターに接続されたドライブシャフトを備え、
前記ドライブシャフトに接続された第一ウォーム歯車が、第二ウォーム歯車との回転のために設置された第一平歯車を駆動し、
前記第二ウォーム歯車が、前記ポンプアクチュエーターとの回転のために設置された第二平歯車とかみ合い、
前記アクチュエーターの前記回転が効果的に単一の方向で発生することを許可することを特徴とする請求項１７に記載されたディスペンサー。
【請求項１９】
実質的に図１から３を参照して上記したように構成されることを特徴とする液体ディスペンサー。
【請求項２０】
実質的に図４を参照して記載されるように回路を組み込むことを特徴とする液体ディスペンサー。
【請求項２１】
実質的に図５を参照して記載されるように回路を組み込むことを特徴とする液体ディスペンサー。
【発明の詳細な説明】
【技術分野】
【０００１】
本発明は、電源、ポンプ、ポンプを駆動するモーターを含み、全てが単一のハウジング内に収容され、液体の分注量を分注するために実施可能であるタイプの携帯用の液体ディスペンサーに関する。
【背景技術】
【０００２】
携帯用の液体ディスペンサーは、例えば、インシュリンのような薬剤を受容者の体内に分注するものとして知られ、これを達成するシステムは米国特許第５，４２９，６０２号公報に開示され、その開示は参照によって本明細書に組み込まれる。従来技術のデバイスでは、プログラム可能なマイクロプロセッサーが、キーボード又は同様のものを使用して、又は例えばカードリーダーによって自動的に、又はモデムを経由して外部電源から一以上のコントロール機能を実行するために使用される。本発明は、そのようなディスペンサー技術が、従来の方法ではあるが実質的には異なった方法で代わりになされる仕事を実行するために、異なる用途として構成されるという知見からなされる。
【発明の開示】
【課題を解決するための手段】
【０００３】
本発明の第１の構成は、液体の分注量を遠隔の液体容器から分注するための電池式で内蔵型の水中用の液体ディスペンサーであって、前記ディスペンサーは、密閉されて壁で囲まれたハウジングを有し、前記ハウジングは前記ハウジング内の電気制御回路から受信されるモーター作動信号に応じて電気モーターによって直接的又は減速ギア列を介して駆動されるぜん動ポンプを収容し、前記ポンプは、前記ハウジングの壁を抜けて延び出る液体注入口及び液体出口ポートにそれぞれ接続されたフレキシブル液体分注チューブと、前記チューブを通過して前記液体注入口ポート経由で前記出口ポートへと受け入れられる液体を押し上げるためのポンプアクチュエーターと、前記回路に接続され前記ハウジングの壁上又は壁中のセンサーとを有し、前記センサーは、水の有無のような前記ハウジングの外部の所定のパラメーターから変化状態を感知するように構成され、その後、前記回路がモーター及びこれによるポンプを作動し、前記液体の分注量を分注する。
【０００４】
この構成で、前記液体ディスペンサーは、例えば、前記注入口ポートを経由して、トイレの器を洗浄する液体のような洗浄液の容器に接続され、前記ハウジングは、通常、トイレタンクの上面近くで水中にあるため、トイレが流されたために変化状態が前記センサーに水の無しを起こさせると、それから洗浄液の分注量がすぐに、又はその後にある程度の時間間隔を置いて、又はタンクが再び満タンになるときにタンク内に排出される。
【０００５】
センサーは、好適には一対の電極を有し、この電極間で、トイレが流されるときに水がタンクから排出されることを電気抵抗の変化として感知する。センサーは、また、所定の特性を有する流体の有無を感知する。液体が水の場合では、所定の特性は、所望のｐＨ、所望の電解質含有量、所望の塩素含量及び望まれない病原体からなる群から選択される。あるいは、流体が空気の場合では、予め決定された特性は所望の湿度である。
【０００６】
好適には、マイクロプロセッサーは、ハウジングの壁上又は壁中に設置されたキーボードを通して外部信号によってプログラム化可能である。このマイクロプロセッサーは、また、所定の速度及びこれにより液体が分注される量に応じて、予めセットされた持続時間の間、モーター及びこれによるポンプを作動するためのタイマー回路を有する。
【０００７】
アクチュエーターは、好適には、モーターによって直接的又は間接的に駆動されるスポーク付きのホイールを有し、スポークのそれぞれ隣接する一対の自由端がチューブ上に直接的又は間接的に向かうように構成され、それによって、それらの間に出口ポートを経由して分注される液体の塊（bolus）を閉じ込め、チューブと出口ポートの外側に徐々に塊を押し出す。この概念の改善では、各スポークの端部にローラーを設け、この領域でのチューブの外側で消耗を最小限度化し、摩擦を低減する。このローラーはチューブ上を転がるようにしてチューブ平面の壁を圧迫（pinching）する。
【０００８】
本発明の第２の構成では、ハウジングが液体中にあるか否かのような、所定のパラメーターを示すセンサーによって感知される状態に従って、液体ディスペンサーはプログラム化され、指定時間間隔で繰り返して液体を分注する。この実施の形態で見つけられた特に有利な用途としては、液体化学薬品を一定間隔で例えばスイミングプール内に分注するディスペンサーである。ここでは、ハウジングの外側で感知された状態が乾燥であれば液体が分注されないが、ディスペンサーが例えばスイミングプールの底に置かれ水中にあれば塩素、塩などのような液体科学薬品が一定間隔で分注される。そのセンサー又は他のセンサーは、持続的に、そのｐＨ、塩度などのようなスイミングプールの所定のパラメーターをモニターする。
【０００９】
本発明の液体ディスペンサーの他の応用としては、また、自動芳香／脱臭ディスペンサー、消費者プログラム型自動プラントフィーダー、及び水槽の殺藻剤ディスペンサーである。水槽の殺藻剤ディスペンサーでは、使用者は所望の操作間隔を配布の間に設けることができ、これによって量を調整できるようにして、良好に定量された注入液を水槽に配布する。
【００１０】
さらなる改善では、制御回路は製造工程の間で所定の仕事を実行するように予めプログラム化され、電池は密閉される前にハウジング内に組み込まれ、これによって、ディスペンサーを比較的安く作製するため、電池が消耗したら簡単に使い捨て品になる。
【００１１】
液体ディスペンサーは、また、チューブ内の液体のバックフローを防ぐための手段を有し、出口ポートに流体が実質的に入らないようにする。これは、減速ギア列が単一の方向でポンプアクチュエーターの回転を許可する形態によって達成される。減速ギア列では、モーターに接続されたドライブシャフトを備え、ドライブシャフトに接続された第一ウォーム歯車が、第二ウォーム歯車との回転のために設置された第一平歯車を駆動し、第二ウォーム歯車が、ポンプアクチュエーターとの回転のために設置された第二平歯車とかみ合い、アクチュエーターの回転が効果的に単一の方向で発生することを許可する。
【発明を実施するための最良の形態】
【００１２】
以下、本発明を一例によって図面を参照して説明する。
【００１３】
図１から図３は液体ディスペンサーの機械的な配置を示す。図１から図３を参照すると、ハウジング１は部分円柱形状であり密閉されて壁で囲まれており、モーター２を収容する。モーター２は、５で示すぜん動ポンプ機構の回転アクチュエーター４に向け、３で示す二重のウォーム歯車と平歯車のスピード減速配置に動力的に接続される。一対のバッテリー６（図２に輪郭で示す）はモーター２、それに接続されるプリント回路基板７、一対の電極８がハウジング１を通り抜けて延び出て形成されるセンサーへと電力を供給する。
【００１４】
図３を参照してより明確に理解できるように、ぜん動ポンプ機構はシリコンからなるようなフレキシブルチューブ９を含み、このチューブ９はハウジング１の部分的な円筒形の内壁１ａに向かって位置し、その各端部は蛇口の形状をした注入口と出口ポート１０、１１にそれぞれ接続され、チューブ９内の液体を注入口ポート１０を経由してそこに引き込み、出口ポート１１を経由して排出することを許容する。
【００１５】
ポンプアクチュエーター４は、４つの放射状に配置されそれぞれがローラー１３を運ぶスポーク又はアーム１２を有し、このローラー１３はフレキシブルチューブ９に向かって位置する。そして、矢印の方向に向けてアクチュエーターが回転すると、隣接する一対のローラー１３がそれらの間で、使用中に、液体の塊を、それらが出口ポート１１を通って強制的に外に出されるまで閉じ込める。しかし、そのような液体がチューブ９を通過する他に密閉されたハウジング１の内部に侵入しないようにする。
【００１６】
当然ながら、アクチュエーター４はウォーム及び平歯車スピード減速配置３を介してモーター２のドライブシャフトに接続される。そして、ウォーム歯車がモーターのドライブシャフトに接続され、他のウォーム歯車との回転のため設置された平歯車を駆動する。この他のウォーム歯車がアクチュエーター４との回転のために設置された第２の平歯車と噛み合う。そのため、歯車の組み合わせ効果としては、アクチュエーター４の反対方向への回転を実際には不可能にするため、歯車とアクチュエーター３の組み合わせは本質的に一方向弁機構として働く。言い換えると、これは、出口ポート１１を通ってチューブ９の外側に押し出される液体がその後は戻ることができないことを確実にする。また、モーター２が停止するとアクチュエーター４が効果的にロックアップするため、ハウジング１内のその回転位置に応じて、いつも少なくとも２つのスポーク１２とそれぞれのローラー３がチューブ９の外壁を押して、ディスペンサーの注入口ポート１０が取り付けられている容器（不図示）からの液体の逃げと容器への液体の進入を防ぐ。好適には、ポンプ５がモーター２によって作動するときに、そのような容器に空気の進入、それによる流体の逃げを許容するために穴があけられ、又は、容器が折り畳み式であり、モーター２とドライブ列５によって発生するトルクによって、十分に容器内の液体を空になるまでそこから吸引する。
【００１７】
図４は、本発明の第１の実施の形態がどのように作動するかを示す回路図である。この実施の形態では、液体ディスペンサーは、電極８によって検出される作動イベントが発生するときに、作動あたり単一のポンプ周期を生じさせる。これは、一般的に、水中、例えばトイレタンクの中にある電極に対応した湿った状態から、タンクが流された乾燥状態への変化である。そして、このポイントで、電気抵抗の変化が電極８間で検出されるとき、例えば殺菌剤の定量した注入液がタンク内へと解放される。この変化は電極８によって検出され、そして信号は増幅及び信号調整回路１４を経由して増幅され処理される。この増幅及び信号調整回路１４は、持続時間回路１５を作動する単一のパルス「Ａ」を生成し、モータードライブ回路１６がモーター２それによるぜん動ポンプ５をどのくらい長く作動させるかを決定する。持続時間タイマー１５は、１７で示す付随のジャンパーストラップの使用によって、出荷時の初期設定である。なお、ディケードスウィッチバンクや簡単なアナログＲ−Ｃタイミング回路の使用によるような、他のタイミング回路を使用することが理解されるだろう。しかしながら、図４に示す実施の形態は、導入にあたり特にシンプルであって、大量生産に役立ち、これによって、比較的費用の掛からない製造が必然ではないが特に使い捨ての市場で望まれる。
【００１８】
図５に示すより高性能な回路では、ゲート１９を介して接続されるセパレートプリセットインターバルタイマー回路１８を経由して一定の間隔でモーター２これによるポンプ５を作動させるように使用される。この回路は電極８が通常水中にある場合の用途のために構成される。例えばスイミングプールで一定の間隔で液体ディスペンサーが液体化学薬品を分注するような場合である。増幅及び信号調整回路１４ａは、電極８が水中にあるという信号を送るためにゲート１９に定常状態信号「Ｂ」を供給する。そして、ジャンパーストラップ１７ａを介して予めセットされた一定の間隔で、「持続時間経過」パルスがゲート１９の第２インプット端末に送られ、増幅及び信号調整器１４ａからの定常状態信号との組合せで信号を生成する。この増幅及び信号調整器１４ａは持続時間タイマー１５をトリガーし、この持続時間タイマー１５が順にモータードライブ回路１６これによるモーター２を予めセットされたジャンパーストラップ１７によって特定される持続時間の間操作する。電極８が水から取り出されると、抵抗の変化が増幅及び信号調整器１４ａによって感知される。この増幅及び信号調整器１４は、電極８が再び水中に入るまで定常状態信号を停止し、効果的に回路をスイッチオフする。その後は、プログラム可能なインターバルタイマー１８がゲート１９を通って持続時間タイマー１５に信号を送ることができない。また、当然のことながら、持続時間タイマー１５とプログラム可能なインターバルタイマー１８はジャンパーストラップ１７、１７ａの代わりに、例えば、ディケードスイッチバンクや簡単なアナログＲ−Ｃタイミング回路を使用することができる。
【００１９】
図１から想定されるように、回路の複雑さ及び液体ディスペンサーの意図された用途に応じて、デジタル読み出しは例えばＬＣＤ読み出しを用いたデジタル表示設備２０を介して提供される。回路の一部又は全ては外部からキーボード２１を用いてプログラム化可能であり、モード選択機能２２も使用される。これは、例えば液体ディスペンサーが様々な環境で使用される場合、例えば、場所、植物の種類及び周囲条件に関して特有の環境に都合がよい化学肥料の徐放のための園芸で有効である。
【００２０】
液体ディスペンサーがぜん動ポンプを使うため、それを上述したように量販に役立つ密閉ユニットとして製造することができる。また、上述したように感知される状態に応じて又はその状態に依存して正確な液体メーターを必要とする多数の用途として製造することができる。ぜん動ポンプを使用するさらなる利点としては、セルフプライムを可能とし、バックフローリークに耐えながら同時に別の液体に水没した状態でそれを使用することができる。したがって、このデバイスによって分注される濃縮液では、その環境へ向けて許容するには多すぎる投与量の場合に環境その他の問題を発生させるかもしれないが、この濃縮液をセパレートコントロールバルブ又はタップを必要としないでポンプの上流に安全に接続することができる。
【図面の簡単な説明】
【００２１】
【図１】図１は、本発明の第１及び第２の構成に関する液体ディスペンサーの前面斜視図である。
【図２】図２は、図１の内部の構成部分を示す液体ディスペンサーの立断面図である。
【図３】図３は、図１のディスペンサーの部分の立断面図である。
【図４】図４は、第１の実施の形態に従って本発明がどのように実行されるかを示す回路図である。
【図５】図５は、第２の実施の形態に従って本発明がどのように実行されるかを示す回路図である。
【図１】
2007534871.tif 000003
【図２】
2007534871.tif 000004
【図３】
2007534871.tif 000005
【図４】
2007534871.tif 000006
【図５】
2007534871.tif 000007
【手続補正書】
【提出日】平成17年4月21日(2005.4.21)
【手続補正１】
【補正対象書類名】特許請求の範囲
【補正対象項目名】全文
【補正方法】変更
【補正の内容】
【特許請求の範囲】
【請求項１】
液体の分注量を遠隔の液体容器から分注するための電池（６）式で内蔵型の水中用の液体ディスペンサーであって、
前記ディスペンサーは、密閉されて壁で囲まれたハウジング（１）を有し、前記ハウジング（１）は、前記ハウジング（１）内の電気制御回路（７）から受信されるモーター作動信号に応じて、電気モーター（２）によって直接的又は減速ギア列（３）を介して駆動されるぜん動ポンプ（５）を収容し、
前記ポンプ（５）は、前記ハウジング（１）の壁を抜けて延び出る液体注入口（１０）及び液体出口ポート（１１）にそれぞれ接続されたフレキシブル液体分注チューブ（９）と、
前記チューブ（９）を通過して前記液体注入口ポート（１０）経由で前記出口ポート（１１）へと受け入れられる液体を押し上げるためのポンプアクチュエーター（４）と、
前記回路（７）に接続され前記ハウジングの壁上又は壁中のセンサーとを有し、
前記センサーは、水の有無のような前記ハウジング（１）の外部の所定のパラメーターから変化状態を感知するように構成され、
その後、前記回路（７）が前記モーター（２）及びこれによる前記ポンプ（５）を作動し、前記液体の分注量を分注することを特徴とするディスペンサー。
【請求項２】
前記センサーは一対の電極（８）を有し、前記変化状態は前記電極間の電気抵抗の変化を含むことを特徴とする請求項１に記載されたディスペンサー。
【請求項３】
前記センサーは一対の電極を有し、前記変化状態は前記電極間の水の有無を検出することを含むことを特徴とする請求項１又は２に記載されたディスペンサー。
【請求項４】
トイレのタンク内の予め選択された位置に、前記センサーが前記タンク内の水の有無を検出するように構成されて設置され、
前記タンクが満たされている場合に前記センサーが前記タンク内の水の有りを検出し、又は前記トイレが流されて前記タンクが空である場合に前記センサーが前記タンク内の水の無しを検出することを特徴とする請求項３に記載されたディスペンサー。
【請求項５】
前記回路（７）は外部信号によってプログラム可能であることを特徴とする請求項１から４のいずれか１項に記載されたディスペンサー。
【請求項６】
前記回路（７）は、前記ハウジング（１）の壁上又は壁中に設置され前記マイクロプロセッサー（７）に接続されるキーボード（２１）を介してプログラム化されることを特徴とする請求項５に記載されたディスペンサー。
【請求項７】
前記回路（７）は、所定の速度及びこれにより液体が分注される量に対応して予めセットされた持続時間で前記モーター（２）及びこれによる前記ポンプ（３）を作動するタイマー回路（１５）をさらに含むことを特徴とする請求項１から６のいずれか１項に記載されたディスペンサー。
【請求項８】
前記アクチュエーター（４）は、複数の放射状に配置されそれぞれが自由端を有するスポークを備え前記モーター（２）によって直接的又は間接的に駆動されるスポーク付きのホイール（１２）を有し、
前記スポーク（１２）のそれぞれ隣接する一対の自由端は、前記チューブ（９）の所定の部分に直接的又は間接的に向かうように構成され、それによってそれらの間に前記出口ポート（１１）を経由して分注される液体の塊を閉じ込め、
さらに、前記ホイールが前記モーター（２）の衝動に応じて回転すると、前記スポーク（１２）が前記塊を前記チューブ（９）に通過させて前記出口ポート（１１）の外側に徐々に押し出すよう構成される
ことを特徴とする請求項１から７のいずれか１項に記載されたディスペンサー。
【請求項９】
前記それぞれのスポーク（１２）の端部は、この領域の前記チューブ（９）の外側で消耗を最小限度化し摩擦を減少させるためにローラー（１３）を有し、
前記ローラーは前記チューブ上を転がるように前記チューブ平面の壁を圧迫することを特徴とする請求項８に記載されたディスペンサー。
【請求項１０】
所定のパラメーターを示す前記センサーによって感知される状態に従って、指定時間間隔で繰り返して前記液体の予め選択された量を分注するためにプログラム化されることを特徴とする請求項１から９のいずれか１項に記載されたディスペンサー。
【請求項１１】
前記センサーによって感知された前記状態は、所定の特性を有する流体の有無であることを特徴とする請求項１０に記載されたディスペンサー。
【請求項１２】
前記流体は水であることを特徴とする請求項１１に記載されたディスペンサー。
【請求項１３】
前記流体は水であり、前記所定の特性は所望のｐＨ、所望の電解質含有量、所望の塩素含量、望ましくない病原体からなる群から選択されることを特徴とする請求項１２に記載されたディスペンサー。
【請求項１４】
前記流体は空気であり、前記所定の特性は所望の湿度であることを特徴とする請求項１２に記載されたディスペンサー。
【請求項１５】
前記制御回路（７）は所定の仕事を実行するために製造工程で予めプログラム化され、前記電池（６）は密閉される前に前記ハウジング（１）内に組み込まれ、
それによって前記ディスペンサーが比較的安く製造され、
前記電池（６）が消耗したら簡単に使い捨て品になることを特徴とする請求項１から１４のいずれか１項に記載されたディスペンサー。
【請求項１６】
前記出口ポート（１１）に液体が実質的に入らないように、前記チューブ内の前記液体のバックフローを防ぐための手段を有することを特徴とする請求項１から１５のいずれか１項に記載されたディスペンサー。
【請求項１７】
前記チューブ内の前記液体のバックフローを防ぐための手段が、前記減速ギア列（３）が単一の方向で前記ポンプアクチュエーター（４）の回転を許可する形態を有することを特徴とする請求項１６に記載されたディスペンサー。
【請求項１８】
前記減速ギア列（３）では、前記モーター（２）に接続されたドライブシャフトを備え、
前記ドライブシャフトに接続された第一ウォーム歯車が、第二ウォーム歯車との回転のために設置された第一平歯車を駆動し、
前記第二ウォーム歯車が、前記ポンプアクチュエーター（４）との回転のために設置された第二平歯車とかみ合い、
前記アクチュエーターの前記回転が効果的に単一の方向で発生することを許可することを特徴とする請求項１７に記載されたディスペンサー。
【請求項１９】
実質的に図１から３を参照して上記したように構成されることを特徴とする液体ディスペンサー。
【請求項２０】
実質的に図４を参照して記載されるように回路を組み込むことを特徴とする液体ディスペンサー。
【請求項２１】
実質的に図５を参照して記載されるように回路を組み込むことを特徴とする液体ディスペンサー。
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
液体の分注量を遠隔の液体容器から分注するための電池（６）式で内蔵型の水中用の液体ディスペンサーであって、
前記ディスペンサーは、密閉されて壁で囲まれたハウジング（１）を有し、前記ハウジング（１）は、前記ハウジング（１）内の電気制御回路（７）から受信されるモーター作動信号に応じて、電気モーター（２）によって直接的又は減速ギア列（３）を介して駆動されるぜん動ポンプ（５）を収容し、
前記ポンプ（５）は、前記ハウジング（１）の壁を抜けて延び出る液体注入口（１０）及び液体出口ポート（１１）にそれぞれ接続されたフレキシブル液体分注チューブ（９）と、
前記チューブ（９）を通過して前記液体注入口ポート（１０）経由で前記出口ポート（１１）へと受け入れられる液体を押し上げるためのポンプアクチュエーター（４）と、
前記回路（７）に接続され前記ハウジングの壁上又は壁中のセンサーとを有し、
前記センサーは、水の有無のような前記ハウジング（１）の外部の所定のパラメーターから変化状態を感知するように構成され、
その後、前記回路（７）が前記モーター（２）及びこれによる前記ポンプ（５）を作動し、前記液体の分注量を分注することを特徴とするディスペンサー。
【請求項２】
前記センサーは一対の電極（８）を有し、前記変化状態は前記電極間の電気抵抗の変化を含むことを特徴とする請求項１に記載されたディスペンサー。
【請求項３】
前記センサーは一対の電極を有し、前記変化状態は前記電極間の水の有無を検出することを含むことを特徴とする請求項１又は２に記載されたディスペンサー。
【請求項４】
トイレのタンク内の予め選択された位置に、前記センサーが前記タンク内の水の有無を検出するように構成されて設置され、
前記タンクが満たされている場合に前記センサーが前記タンク内の水の有りを検出し、又は前記トイレが流されて前記タンクが空である場合に前記センサーが前記タンク内の水の無しを検出することを特徴とする請求項３に記載されたディスペンサー。
【請求項５】
前記回路（７）は外部信号によってプログラム可能であることを特徴とする請求項１から４のいずれか１項に記載されたディスペンサー。
【請求項６】
前記回路（７）は、前記ハウジング（１）の壁上又は壁中に設置され前記マイクロプロセッサー（７）に接続されるキーボード（２１）を介してプログラム化されることを特徴とする請求項５に記載されたディスペンサー。
【請求項７】
前記回路（７）は、所定の速度及びこれにより液体が分注される量に対応して予めセットされた持続時間で前記モーター（２）及びこれによる前記ポンプ（３）を作動するタイマー回路（１５）をさらに含むことを特徴とする請求項１から６のいずれか１項に記載されたディスペンサー。
【請求項８】
前記アクチュエーター（４）は、複数の放射状に配置されそれぞれが自由端を有するスポークを備え前記モーター（２）によって直接的又は間接的に駆動されるスポーク付きのホイール（１２）を有し、
前記スポーク（１２）のそれぞれ隣接する一対の自由端は、前記チューブ（９）の所定の部分に直接的又は間接的に向かうように構成され、それによってそれらの間に前記出口ポート（１１）を経由して分注される液体の塊を閉じ込め、
さらに、前記ホイールが前記モーター（２）の衝動に応じて回転すると、前記スポーク（１２）が前記塊を前記チューブ（９）に通過させて前記出口ポート（１１）の外側に徐々に押し出すよう構成される
ことを特徴とする請求項１から７のいずれか１項に記載されたディスペンサー。
【請求項９】
前記それぞれのスポーク（１２）の端部は、この領域の前記チューブ（９）の外側で消耗を最小限度化し摩擦を減少させるためにローラー（１３）を有し、
前記ローラーは前記チューブ上を転がるように前記チューブ平面の壁を圧迫することを特徴とする請求項８に記載されたディスペンサー。
【請求項１０】
所定のパラメーターを示す前記センサーによって感知される状態に従って、指定時間間隔で繰り返して前記液体の予め選択された量を分注するためにプログラム化されることを特徴とする請求項１から９のいずれか１項に記載されたディスペンサー。
【請求項１１】
前記センサーによって感知された前記状態は、所定の特性を有する流体の有無であることを特徴とする請求項１０に記載されたディスペンサー。
【請求項１２】
前記流体は水であることを特徴とする請求項１１に記載されたディスペンサー。
【請求項１３】
前記流体は水であり、前記所定の特性は所望のｐＨ、所望の電解質含有量、所望の塩素含量、望ましくない病原体からなる群から選択されることを特徴とする請求項１１に記載されたディスペンサー。
【請求項１４】
前記流体は空気であり、前記所定の特性は所望の湿度であることを特徴とする請求項１１に記載されたディスペンサー。
【請求項１５】
前記制御回路（７）は所定の仕事を実行するために製造工程で予めプログラム化され、前記電池（６）は密閉される前に前記ハウジング（１）内に組み込まれ、
それによって前記ディスペンサーが比較的安く製造され、
前記電池（６）が消耗したら簡単に使い捨て品になることを特徴とする請求項１から１４のいずれか１項に記載されたディスペンサー。
【請求項１６】
前記出口ポート（１１）に液体が実質的に入らないように、前記チューブ内の前記液体のバックフローを防ぐための手段を有することを特徴とする請求項１から１５のいずれか１項に記載されたディスペンサー。
【請求項１７】
前記チューブ内の前記液体のバックフローを防ぐための手段が、前記減速ギア列（３）が単一の方向で前記ポンプアクチュエーター（４）の回転を許可する形態を有することを特徴とする請求項１６に記載されたディスペンサー。
【請求項１８】
前記減速ギア列（３）では、前記モーター（２）に接続されたドライブシャフトを備え、
前記ドライブシャフトに接続された第一ウォーム歯車が、第二ウォーム歯車との回転のために設置された第一平歯車を駆動し、
前記第二ウォーム歯車が、前記ポンプアクチュエーター（４）との回転のために設置された第二平歯車とかみ合い、
前記アクチュエーターの前記回転が効果的に単一の方向で発生することを許可することを特徴とする請求項１７に記載されたディスペンサー。
【請求項１９】
実質的に図１から３を参照して上記したように構成されることを特徴とする液体ディスペンサー。
【請求項２０】
実質的に図４を参照して記載されるように回路を組み込むことを特徴とする液体ディスペンサー。
【請求項２１】
実質的に図５を参照して記載されるように回路を組み込むことを特徴とする液体ディスペンサー。
【国際調査報告】
2007534871.tif 000008
2007534871.tif 000009